(57)【要約】【課題】画質が向上するように、より詳細には、解像度が向上し、かつモーションアーチファクトができる限り回避されるように、ディスプレイデバイス上に連続的な画像フレームまたはフィールドを表示する方法を提供すること。【解決手段】本発明は、マトリクスディスプレイデバイスに連続的な画像フレームまたはフィールドを表示する方法であって、当該ディスプレイデバイスが、それぞれが所定の数の画素を含む所定の数の表示ラインを有する方法において、当該ピクセルがサブフィールドにおいて符号化され、かつ当該マトリクスディスプレイデバイスが当該サブフィールドによって駆動され、かつ、表示される前記輝度値が、ピクセル要素によって表示されるビット数より大きいビット数を有する元の輝度値から導かれ、当該方法が、さらに、−  最低または低い重みを有する１つ以上のサブフィールドをディザリングプロセスにおいて使用するステップと、−  当該ラインのピクセルの当該最低または低い重みよりも高い重みを有する１つ以上のサブフィールドに共通値を供給するために複数のラインを同時にアドレス指定するステップと、を有する、方法を提供する。【選択図】図３
2004518176.tif 000002
【特許請求の範囲】
【請求項１】
マトリクスディスプレイデバイス上に連続的な画像フレームまたはフィールドを表示する方法であって、当該ディスプレイデバイスが、それぞれが所定の数の画素を含む所定の数の表示ラインを有し、当該ピクセルがサブフィールドにおいて符号化され、かつ、当該マトリクスディスプレイデバイスが当該サブフィールドによって駆動され、かつ、表示される前記輝度値が、ピクセル要素によって表示されるビット数またはグレーレベル数より大きいビット数またはグレーレベル数を有する元の輝度値から導かれ、当該方法が、さらに、
− 最低または低い重みを有する１つ以上の前記サブフィールドをディザリングプロセスにおいて使用するステップと、
− 複数のラインを同時にアドレス指定するステップであって、当該ラインの前記ピクセルの当該最低または低い重みよりも高い重みを有する１つ以上のサブフィールドに共通値を供給するステップと、
を有する、方法。
【請求項２】
前記上位および／または下位の個別にアドレス指定されるサブフィールドの値が、前記同時にアドレス指定されるサブフィールドの前記計算された値に応じて計算される、請求項１の方法。
【請求項３】
前記ディザリングプロセスが誤差拡散を有する、請求項１の方法。
【請求項４】
前記誤差拡散がＦｌｏｙｄ − Ｓｔｅｉｎｂｅｒｇ誤差拡散を有する、請求項３の方法。
【請求項５】
２つのサブフィールドが前記ディザリングプロセスにおいて使用される、請求項１の方法。
【請求項６】
前記サブフィールドが、２の連続的な指数に比例する重みを有し、前記輝度値データが０より大きいか０に等しく、かつ２のＮ乗（２Ｎ）より小さく、Ｎが、サブフィールドの数であり、「Ａ」が、表示されるライン対の第一ラインの元のデータであり、「ａ」が、当該第一ラインの前記同時にアドレス指定される下位サブフィールドの前記重みであり、「Ｂ」が、当該ライン対の前記他方のラインの元のデータであり、「ｂ」が、当該ラインの前記同時にアドレス指定されるサブフィールドの前記重みであり、ｎが、同時にアドレス指定されるサブフィールドの前記数と、前記ディザリングプロセスにおいて使用される低い重みのサブフィールドの前記数の合計であり、ｒが実数であって、前記方法が、
− ａマイナスｂの差Δを計算する（Δ ＝ ａ−ｂ）ステップと、
− Δ’を、Δが正の場合は２のｎ乗マイナスΔとして（Δ’ ＝２ｎ−Δ）、それ以外の場合はマイナス２のｎ乗マイナスΔとして（Δ’ ＝ −２ｎ−Δ）、計算するステップと、
− Δの絶対値が２の（ｎ−１）乗より小さい場合には、Ａの新しい値（Ａ’）を、Ａの元の値と、Δ’にｒを乗じた値の整数部分との合計値として計算し（Ａ’ ＝ Ａ＋ｉｎｔ（Δ’＊ｒ））、Ｂの新しい値（Ｂ’）を、Ｂの元の値からΔ’を減じ、Δ’にｒを乗じた値の整数部分をそこに加えた値として計算し（Ｂ’ ＝ Ｂ−Δ’＋ｉｎｔ（Δ’＊ｒ））、それ以外の場合には、Ａの新しい値（Ａ’）を、Ａの元の値から、Δにｒを乗じた値の整数部分を減じた値として計算し（Ａ’ ＝ Ａ−ｉｎｔ（Δ＊ｒ））、Ｂの新しい値（Ｂ’）を、Ｂの元の値にΔを加え、Δにｒを乗じた値の整数部分をそこから減じた値として計算する（Ｂ’ ＝ Ｂ＋Δ−ｉｎｔ（Δ＊ｒ））、ステップと、
− Ａの当該新しい値またはＢの当該新しい値が０未満であるか、または２のＮ乗に等しいかそれより大きい場合には、ＡおよびＢの当該新しい値を、それぞれ、Ａの元の値から、Δにｒを乗じた値の整数部分を減じた値（Ａ−ｉｎｔ（Δ＊ｒ））と、Ｂの元の値にΔを加え、Δにｒを乗じた値の整数部分をそこから減じた値（Ｂ＋Δ−ｉｎｔ（Δ＊ｒ））とに置き換えるステップと、
を有する、請求項１に記載の方法。
【請求項７】
ｒに値１／２が与えられる（ｒ ＝ １／２）、請求項６に記載の方法。
【請求項８】
ｒに、ＡをＡとＢの合計によって除した値が与えられる（ｒ ＝ Ａ／（Ａ＋Ｂ））、請求項６に記載の方法。
【請求項９】
「Ａ」が、表示されるライン対の第一ラインの元のデータの前記単一ラインアドレス指定されるサブフィールドの前記重みであり、「ａ」が、当該第一ラインの前記ダブルラインアドレス指定されるサブフィールドの前記重みであり、「Ｂ」が、当該ライン対の前記他方のラインの元のデータの前記単一ラインアドレス指定されるサブフィールドの前記重みであり、「ｂ」が、当該ラインの前記ダブルラインアドレス指定されるサブフィールドの前記重みであり、ｎが、最下位サブフィールドの前記数であり、
（ａ） ダブルラインアドレス指定されるサブフィールドすべての前記重みの合計としてｌｓｂ＿ｍａｘを計算するステップと、
（ｂ） 前記単一ラインアドレス指定されるサブフィールドの可能な組み合わせすべての前記重みのテーブル（「ＭＳＢテーブル」）を構築するステップと、
（ｃ） 前記第一ラインの前記データＡ＋ａと、前記ＭＳＢテーブルの各要素との差の第一対応テーブル（「第一組の差」、Ａ＋ａ−Ａ’）を構築するステップと、
（ｄ） 当該ライン対の前記他方のラインの前記データＢ＋ｂと、前記ＭＳＢテーブルの各要素との差の第二対応テーブル（「第二組の差」、Ｂ＋ｂ−Ｂ’）を構築するステップと、
（ｅ） 前記第一組の差から取られた第一値と、前記第二組の差から取られた第二値とによる値の対すべてのうち、各値の差の絶対値が当該対すべてのうち最小である前記値の対（「最小対」）を求めるステップと、
（ｆ） 当該最小対すべてについて、ｃを、
− 求められた差の値の対のうち小さい方と、各差の差の絶対値にｒを乗じた値（ｒ＊ＡＢＳ（（Ａ＋ａ−Ａ’）−（Ｂ＋ｂ−Ｂ’）））（ｒは実数）との合計の整数部を求め、当該整数部が正でありかつｌｓｂ＿ｍａｘの２倍より小さい場合には、この整数部
− 当該整数部が負である場合は０、
− 当該整数部がｌｓｂ＿ｍａｘの２倍より大きい場合はｌｓｂ＿ｍａｘ、
として求めるステップと、
（ｇ） 当該最小対すべてについて、Ａ＋ａ−Ａ’−ｃ＋Ｂ＋ｂ−Ｂ’−ｃの絶対値として前記誤差を求めるステップと、
（ｈ） 最小対すべてのうち、前記誤差が最小である対（「選択された最小対」）を選択するステップと、
（ｉ） 表示される当該第一ラインの前記新しいデータの前記単一ラインアドレス指定されるサブフィールドの前記重みを、前記選択された最小対の前記第一要素に対応する前記ＭＳＢテーブルの前記要素として求めるステップと、
（ｊ） 表示される当該他方のラインの前記新しいデータの前記単一ラインアドレス指定されるサブフィールドの前記重みを、前記選択された最小対の前記第二要素に対応する前記ＭＳＢテーブルの前記要素として求めるステップと、
（ｋ） 表示される当該第一ラインと当該他方のライン両方の前記新しいデータの前記ダブルラインアドレス指定されるサブフィールドの前記重みを、前記選択された最小対の前記値ｃとして求めるステップと、
を有する、請求項１に記載の方法。
【請求項１０】
ステップｃの前に、値ｅｒｒｏｒ＿ｍａｘが計算され、求められ、または設定される、請求項９に記載の方法であって、ｅｒｒｏｒ＿ｍａｘが、最低の単一ラインアドレス指定されるサブフィールドの前記重みの半分であり、前記第一対応テーブルにおいて、マイナスｅｒｒｏｒ＿ｍａｘとｌｓｂ＿ｍａｘ＋ｅｒｒｏｒ＿ｍａｘの間にある前記値が、縮小された第一組の差として選択され、かつ前記第二対応テーブルにおいて、マイナスｅｒｒｏｒ＿ｍａｘとｌｓｂ＿ｍａｘ＋ｅｒｒｏｒ＿ｍａｘの間の前記値が、縮小された第二組の差として選択され、かつ、ステップｅにおいて、前記縮小された第一組の差から取られた第一値と、前記縮小された第二組の差から取られた第二値とによる値の対すべてのうち、各値の差の絶対値が当該対すべてのうち最小である値の対（「最小対」）を求める、方法。
【請求項１１】
ｒが、値１／２により与えられる（ｒ ＝ １／２）、請求項９に記載の方法。
【請求項１２】
ｒが、Ａとａの合計をＡ、ａ、Ｂ、およびｂの合計によって除した値により与えられる（ｒ ＝ （Ａ＋ａ）／（Ａ＋ａ＋Ｂ＋ｂ））、請求項９に記載の方法。
【請求項１３】
− ライン対の第一ラインの前記新しい輝度値データ用として元の輝度値データを取るステップと、
− 当該値の前記ダブルラインアドレス指定されるサブフィールドの前記重みを取り出すステップであって、当該重みが「共通部分」である、ステップと、
− ライン対の第二ラインの前記新しい輝度値データ用として、前記ダブルラインアドレス指定されるサブフィールドの前記重みを、当該ラインの元のデータから「共通部分」を減じて得られた値を単一ラインアドレス指定されるサブフィールド値の最も近い組合せに丸めることによって、計算するステップと、
− 当該他方のラインの前記新しい輝度値データ用として、前記ダブルラインアドレス指定されるサブフィールドの前記計算された重みと、前記単一ラインアドレス指定されるサブフィールドの「共通部分」を取るステップと、
を有する、請求項１に記載の方法。
【請求項１４】
ライン対の当該第一ラインが、ダブルラインアドレス指定されるサブフィールドの重みが最小である前記ラインとして選択される、請求項１３に記載の方法。
【請求項１５】
前記サブフィールドが、２の連続的な指数に比例する重みを有し、
− ダブルラインアドレス指定されるサブフィールドの前記重みの取り出しが、前記ダブルラインアドレス指定されるサブフィールドのビットをマスキングすることによって実行される、
請求項１３に記載の方法。
【請求項１６】
− 当該第一ラインの前記輝度値を表す単一およびダブルラインアドレス指定されるサブフィールドの組が求められ、
− 当該単一ラインアドレス指定されるサブフィールドが、当該第二ラインの前記元の輝度値を有する、当該第二ラインの前記新しい輝度値を与えるための事前に計算された参照用テーブルにおけるエントリとして使用される、
請求項１３に記載の方法。
【請求項１７】
− 当該第一ラインの前記輝度値を表す単一およびダブルラインアドレス指定されるサブフィールドの組が求められ、
− 当該ダブルラインアドレス指定されるサブフィールドに対応する前記結果としての輝度値レベルが計算され、
− 当該第二ラインの前記元の輝度値と当該結果としての輝度値の間の差が計算され、
− 当該差が、当該第二ラインの前記単一ラインアドレス指定されるサブフィールドを与えるための事前に計算される参照用テーブルにおけるエントリとして使用される、
請求項１３に記載の方法。
【請求項１８】
− 両方のラインの前記輝度データを取り、かつこのデータを使用して前記ダブルラインアドレス指定されるサブフィールドの最適値を計算するステップと、
− 前記ダブルラインアドレス指定されるサブフィールドによって表示される前記輝度値を、例えば、検索用テーブル（ＬＵＴ）によって計算するステップと、
− 両方のラインの前記元の意図された輝度から、前記ダブルラインアドレス指定されるサブフィールドによってすでに表示されている前記輝度を減じるステップと、
− この結果を、単一ラインアドレス指定されるサブフィールドの最も近い組合せを与える検索用テーブルにおけるエントリとして使用するステップと、
− 前記ダブルラインアドレス指定されるサブフィールドと単一ラインアドレス指定されるサブフィールドを結合することによって全サブフィールドの前記サブフィールドデータを求めるステップと、
を有する、請求項１に記載の方法。
【請求項１９】
前記ダブルラインアドレス指定されるサブフィールドの前記値の前記計算において、前記値が、最低の輝度データ値を有する前記ラインからコピーされる、請求項１８に記載の方法。
【請求項２０】
前記ダブルラインアドレス指定されるサブフィールドの前記値の前記計算において、前記値が、これらのサブフィールドが最低の輝度値を有する前記ラインからコピーされる、請求項１８に記載の方法。
【請求項２１】
隣接するラインの組における当該アドレス指定が、（ｉ）連続的なフレームまたはフィールドに対して、および／または（ｉｉ）前記ディスプレイデバイスの異なる領域に対して、および／または（ｉｉｉ）異なるサブフィールドに対して、異なる方式で実行される、請求項１に記載の方法。
【請求項２２】
前記同時にアドレス指定されるサブフィールドの当該少なくとも１つの当該共通輝度値データが、当該ラインの組の前記対応する同時にアドレス指定されるサブフィールドの前記元の輝度値データを平均化することによって得られる、請求項１に記載の方法。
【請求項２３】
当該ラインの組が、２本のラインの組を有する、請求項１に記載の方法。
【請求項２４】
当該ラインの組が、３本のラインの組を有する、請求項１に記載の方法。
【請求項２５】
当該隣接するラインの組が、同じ数のラインを有するラインの組を有し、当該組が、各連続的なフレームにおいて１本以上のラインのみシフトされる、請求項１に記載の方法。
【請求項２６】
当該ディスプレイデバイスが、前記ディスプレイの上半分である第一領域と、前記ディスプレイの下半分である第二領域とを有する、請求項１に記載の方法。
【請求項２７】
各連続的なフレームまたはフィールドに対してと、前記ディスプレイデバイスの異なる領域に対しての、ラインの当該グループ化が、ランダムに実行される、請求項１に記載の方法。
【請求項２８】
ピクセルの前記元の輝度値データを有する輝度データを受信するための受信回路を有するディスプレイデバイスであって、前記ディスプレイデバイスが、ラインの組ｒ１，…，ｒＭを有するディスプレイパネルと、当該ラインにライン輝度値データを供給するためのドライバ回路であって、当該ラインが、隣接または隣り合うラインの組にグループ化され、前記複数ラインアドレス指定されるサブフィールドの共通値がラインの組に同時にアドレス指定される、ドライバ回路とをさらに有する、ディスプレイデバイスにおいて、
前記ディスプレイデバイスが、ピクセルの新しいライン輝度値Ｃを前記元のライン輝度値に基づいて計算するための計算ユニットを有し、当該隣接または隣り合うラインの組の前記複数ラインアドレス指定されるサブフィールドの新しい共通値が計算され、かつ当該ラインの組に同時にアドレス指定され、かつ、当該隣接または隣り合うラインの組の各ラインの前記単一ラインアドレス指定されるサブフィールドの新しい値が計算され、かつ当該組の各ラインにアドレス指定される、
ことを特徴とするディスプレイデバイス。
【請求項２９】
請求項１〜２７のいずれかに記載の方法を実行するために前記計算ユニットが配置されている、請求項２８に記載のディスプレイデバイス。
【請求項３０】
連続的な画像フレームまたはフィールドを表示ラインに表示するためのサブフィールド駆動ディスプレイデバイスをさらに有する、請求項２８に記載のディスプレイデバイスであって、前記元の輝度値データを有する当該画像フレームまたはフィールドが、単一ラインアドレス指定されるサブフィールドのグループと複数ラインアドレス指定されるサブフィールドのグループとを有するサブフィールドにおいて符号化され、前記ディスプレイデバイスが、隣接するラインの組ごとに前記ディスプレイデバイスをアドレス指定するための手段と、当該ラインの組のラインに共通輝度値データを供給するための手段とをさらに有する、ディスプレイデバイスにおいて、
前記ディスプレイデバイスが、
（ｉ）  連続的なフレームまたはフィールドに対して、および／または、
（ｉｉ）  前記ディスプレイデバイスの異なる領域に対して、および／または、
（ｉｉｉ）  異なるサブフィールドに対して、
隣り合うラインの異なる組を選択するための手段を有することを特徴とする、請求項２８に記載のディスプレイデバイス。
【発明の詳細な説明】
【０００１】
【発明が属する技術分野】
本発明は、パーソナルコンピュータ、テレビなどに使用されるプラズマディスプレイパネル（ＰＤＰ）、プラズマアドレス液晶パネル（ＰＡＬＣ）、液晶ディスプレイ（ＬＣＤ）、ポリマーＬＥＤ（ＰｏｌｙＬＥＤ）、エレクトロルミネセンス（ＥＬ）などのサブフィールド駆動式マトリクスディスプレイデバイス上に画像を表示する方法に関する。
【０００２】
本発明は、さらに、ピクセルの元の輝度値データを有する輝度データを受信するための受信回路を有するディスプレイデバイスであって、前記ディスプレイデバイスが、ラインの組ｒ１ ．．．ｒＭを有するディスプレイパネルと、当該ラインにライン輝度値データを供給するためのドライバ回路であって、当該ラインが、隣接または隣り合うラインの組にグループ化され、前記複数ラインアドレス指定されるサブフィールドの共通値がラインの組に同時にアドレス指定される、ドライバ回路とをさらに有する、ディスプレイデバイスに関する。
【０００３】
【従来の技術】
プラズマディスプレイパネルに輝度レベルを表示する方法は、ＥＰ０ ８９０ ９４１から公知である。これらの方法においては、高い重みのサブフィールドが各表示ラインについてアドレス指定され、低い重みのサブフィールドが表示ラインの一部のみについてアドレス指定される。これらの方法では、例えば、ダブル化されるサブフィールドの場合でアドレス周期を１／２に低減でき、またはダブル化されるサブフィールドの数に応じて、例えば合計アドレス周期を２５％低減することができ、これにより、持続周期（ｓｕｓｔａｉｎ ｐｅｒｉｏｄ）の時間長を実質的に増大させることができる。
【０００４】
ＥＰ−Ａ−０ ８７４ ３４９にも、プラズマディスプレイの複数のライン上のビットをアドレス指定するためのプロセスが開示されている。
【０００５】
ＥＰ−Ａ−０ ９５３ ９５６とＥＰ−Ａ−０ ８８０ １２５に開示されている方法においては、グレーレベルを表示するための、誤差が低減された改良された方法が開示されている。アナロググレー値は、多数のピクセルに分散される。空間的なディザリングと時間的なディザリングの両方が、開示されている。
【０００６】
【課題を解決するための手段】
本発明の目的は、画質を向上させるために、より詳細には、解像度を向上させ、かつモーションアーチファクトができる限り回避されるように、ディスプレイデバイス上に連続的な画像フレームまたはフィールドを表示する方法を提供することである。
【０００７】
本発明は、それぞれが所定の数の画素を含む所定の数の表示ラインを有するマトリクスディスプレイデバイス上に連続的な画像フレームまたはフィールドを表示する方法において、当該ピクセルがサブフィールドにおいて符号化され、かつ当該マトリクスディスプレイデバイスが当該サブフィールドによって駆動され、かつ、表示される前記輝度値が、ピクセル要素によって表示されるビット数またはグレーレベル数より大きいビット数またはグレーレベル数を有する元の輝度値から導かれ、当該方法が、さらに、
− 最低または低い重みを有する１つ以上の前記サブフィールドをディザリングプロセスにおいて使用するステップと、
− 複数のラインを同時にアドレス指定するステップであって、当該ラインの前記ピクセルの当該最低または低い重みよりも高い重みを有する１つ以上のサブフィールドに共通値を供給するための、同時にアドレス指定するステップと、
を有する、方法を提供する。
【０００８】
本発明によると、部分的ラインダブル化（ｐａｒｔｉａｌ ｌｉｎｅ ｄｏｕｂｌｉｎｇ）は下位サブフィールドにシフトされる。ただし、１つまたは２つまたはそれ以上の最下位サブフィールドは、ディザリングに使用できるように除外される。
【０００９】
各種のディザリング方法は、それ自体公知である。望ましい実施例においては、Ｆｌｏｙｄ−Ｓｔｅｉｎｂｅｒｇ誤差拡散が使用される。
【００１０】
部分的ラインダブル化のためには、（１つ以上の最下位サブフィールドを除いて）ビット（サブフィールド）の平均化またはコピーを使用することが可能である。しかしながら、ディザリングおよび／または部分的ラインダブル化に起因する画像誤差をさらに排除するためには、さらなる訂正方法を使用することが望ましい。
【００１１】
さらなる望ましい実施例の場合、隣接するラインの組におけるアドレス指定は、連続的なフレームまたはフィールドに対して、および／またはディスプレイデバイスの異なる領域に対して、および／または異なるサブフィールドに対して、異なる方式で行われる。
【００１２】
ラインを、連続的なフレームと、ディスプレイの異なる領域とに対して、異なる方式でグループ化することによって、アドレス周期はさらに低減され、解像度の損失が回避される。
【００１３】
本発明のさらなる利点、特徴、および詳細は、その望ましい実施例の以下の説明を通じて、添付の図面を参照しながら解明されるであろう。
【００１４】
【発明を実施するための形態】
プラズマディスプレイパネルなどのマトリクスディスプレイパネルは、通常、列方向に延在するデータ電極の組と、通常、行方向に延在する走査電極の組とを有する。
【００１５】
図１は、各行が個別にアドレス指定されるディスプレイパネルを示す。各行には、アドレス電極Ａｅと共通電極Ｃｅという２つの電極が関連付けられている。矢印は、アドレス指定された行Ｒａを示す。これは、図２の上側に示されているフィールドのタイミング図に示されている。この上側の図においては、各サブフィールドのアドレス周期、つまり、アドレス指定時間Ｔａ，ｎは同じである。アドレス時間Ｔａ，ｎは、いくつかの最下位サブフィールドに適用される、いわゆるラインダブル化方法によって低減させることができる。このことは、図２の下側に示されている。この方法において、１つのフィールドは、図２に示されているように、例えば、８つのサブフィールドを有する（実際には６〜１２個のサブフィールドが使用される）。各サブフィールドは、パネルを調整するための消去周期と、持続中に点灯されるセルを準備するアドレス周期と、実際の光が生成される持続期間とを有することができる。各サブフィールドの持続周期は、例えば、８ビットデジタル信号（ｂ７， ｂ６， ｂ５， ｂ４， ｂ３， ｂ２， ｂ１）に対応する１２８、６４、３２、１６、８、４、２、または１の重みが与えられ、これにより２５６の輝度レベルを得ることができる。１つのフィールドの合計の持続周期は、高輝度を得るためにできるだけ長くする必要がある。
【００１６】
消去周期は、かなり短くてよい。例えば、０．２ ｍｓの場合、１フィールドあたり８ Ｘ ０．２ ｍｓ ＝ １．６ ｍｓである。アドレス周期は、１ラインあたり約３ μｓである。４８０本の表示ラインを有するＶＧＡディスプレイの場合、サブフィールドあたりのアドレス周期は、４８０ Ｘ ３ μｓ ＝ １．５ ｍｓである。従って、フィールドあたり８つのサブフィールドでは、合計アドレス周期は１２ ｍｓである。フィールドレート６０Ｈｚ（周期１６．６ ｍｓ）では、フィールドあたりの合計持続周期として残るのは３ ｍｓのみである。
【００１７】
図３は、２つの隣接する行Ｒａ１とＲａ２が同じデータによって同時にアドレス指定される様子を示す。従って、アドレス時間Ｔａ，ｓは減少し、持続周期Ｓに多くの時間が残される。Ｅとして示されている高い棒は、消去周期を表す。Ａとして示されている三角形は、アドレス周期を表す。Ｓとして示されている長方形は、持続周期を表す。周期Ｔｄの間に起こるラインダブル化に起因して時間利得Ｔｇが得られる。この時間利得Ｔｇを使用して、持続時間Ｓを増加させ、またはサブフィールドの数を増加させることができる。
【００１８】
図４は、ラインが、奇数フィールドの場合のライン対と、偶数フィールドの場合の、１ラインのみシフトされた別のライン対とにグループ化されている例を示す。
【００１９】
図５の左上の例は、すべてのフレームとすべてのサブフィールドにおいてラインが対にグループ化される場合（ダブルライン、単一フレームアドレス指定）を示す。左側のその下の例においては、奇数フレームにおいてはライン対に、偶数フレームにおいては、１ラインのみシフトされた別のライン対にグループ化される（ダブルライン、デュアルフレームアドレス指定）。３番目の例（右上の例）においては、ラインは、すべてのフレームといくつかのサブフィールドにおいて３本のラインの組にグループ化されている（トリプルライン、単一フレームアドレス指定）。従って、このサブフィールドのアドレス指定時間は、１／３に低減される。４番目の例（右側中央の例）においては、ラインは、奇数フレームにおいては３本のラインの組に、偶数フレームにおいては、１ラインのみシフトされた３本のラインの他の組とにグループ化される（トリプルライン、デュアルフレームアドレス指定）。図５の最後の例（右下の例）は、トリプルライン、トリプルフレームアドレス指定を示す。３本のラインの組は、連続する各フレームごとに１ラインのみシフトされている。
【００２０】
さまざまな組合せが考えられる。図６は、有効な組合せのさらなる例を示す。図６の上側の例においては、奇数フレームまたは奇数フィールドにおいてダブルラインアドレス指定が使用され、偶数フレームまたは偶数フィールドにおいて単一ラインアドレス指定が使用されている。図６の下側の例においては、ダブルライン、ダブルフレームアドレス指定に、トリプルライン、トリプルフレームアドレス指定が組み合わされている。
【００２１】
各サブフィールドごとに上記の異なる方法を適用することができる。トリプルラインアドレス指定を使用することによる定義の消失は、最低の最下位サブフィールドに対してトリプル（または４本以上の）ラインアドレス指定を使用し、かつ最低より高位の最下位サブフィールドに対してダブルラインアドレス指定を使用すれば、許容できる可能性がある。
【００２２】
ディスプレイの異なる領域ごとに上記の異なる方法を適用することもできる（多面アドレス指定）。図７は、上半分と下半分の領域（ＵとＬ）において独立してアドレス指定可能なディスプレイデバイスの例を示す。この例においては、１つのフレームまたはフィールドに対して、上半分領域において１つの方法が適用され、下半分領域において別の方法が適用され、連続する隣のフレームまたはフィールドに対しては、これらの方法が逆に適用される。
【００２３】
図８は、ディスプレイ装置のブロック線図を示す。
【００２４】
サブフィールド駆動マトリクスディスプレイデバイスＤＤは、アドレス指定回路ＡＣによって選択される行導体ＲＣを有する。データ供給回路ＤＣは、画像データＩＤを受信し、データを列導体ＣＤに供給する。制御回路ＣＣは、アドレス指定回路ＡＣと、データ供給回路ＤＣを制御する。
【００２５】
例えば、所定のサブフィールドのアドレス期間Ａの間、制御回路ＣＣは、アドレス指定回路ＡＣに、２個の隣接する行導体をアドレス指定（選択）するように命令し、データ供給回路に、選択された行導体に同じデータを供給して２行を同じデータによって準備するように命令する。
【００２６】
持続周期の間、制御回路ＣＣは、アドレス指定回路ＡＣに、サブフィールドの重みに対応して行導体に多数の持続パルスを供給するように命令する。
【００２７】
図９は、マトリクスディスプレイパネル５を有するデバイスの線図であり、表示ライン（行）の組ｒ１， ｒ２， …， ｒｍを示している。マトリクスディスプレイパネル５は、通常は列方向と呼ばれる第二方向に延在するデータライン（列）の組ｃ１．．ｃＮを有する。このデータラインは、データラインの第一組と交差し、各交差は、ピクセル（ドット）ｄ１１．．．．．ｄＮＭを定義する。行と列の数は同じである必要はない。
【００２８】
さらに、マトリクスディスプレイは、表示されるラインの輝度の情報を有する情報信号Ｄを受信するための回路２と、元のライン輝度値Ｄ１， ．．．ＤＭを有する情報信号Ｄに依存してデータラインの組（行ｒ１，…，ｒＭ）をアドレス指定するためのドライバ回路４とを有する。
【００２９】
本発明によるディスプレイデバイスは、ピクセルｄ１１， …， ｄＮＭの新しいライン輝度値Ｃを元のライン輝度値Ｄ１， Ｄ２， ．．， Ｄｍに基づいて計算するための計算ユニット（３）を有する。
【００３０】
先行技術の方法（すなわちビットの単純なコピー、または平均化）がどのように改善されるかについての例を以下に示す。この例においては、４つの上位サブフィールド（各ラインに対して個々にアドレス指定される）と、４つの下位サブフィールド（２ラインに対して共通値によってアドレス指定される）にグループ化された、８個のサブフィールドが使用される。
【００３１】
上位サブフィールドが変更されないままで、部分的ラインダブル化を適用するための平均値が妥当な結果をもたらす場合であっても、場合によってはより良好な結果を得ることができる。ラインダブル化が適用されるときに上位サブフィールドも変更させると、誤差が減少する。
【００３２】
例えば、８ビットのグレースケールレベルにおけるピクセルの以下の２つの元の輝度値ＡとＢがあるとする。
Ａ ＝ ３１ ＝  ０００１ １１１１
Ｂ ＝ ３２ ＝  ００１０ ００００
【００３３】
同時にアドレス指定された（ダブル化された）４個の下位ビットに対して、４個の下位ビットの平均値（値より小さくかつ最も近い整数に丸められた値）をとると（平均は（１１１１＋００００）／２であり、この整数部分は０１１１）、次のようになる。
Ａ’ ＝ ２３ ＝ ％ ０００１ ０１１１       ＭＳＥ ＝ ５６．５
Ｂ’ ＝ ３９ ＝ ％ ００１０ ０１１１
ＭＳＥは次式で与えられる平均二乗誤差である。
【式１】
2004518176.tif 000003
【００３４】
従って、４個の下位ビットの平均値を取ると、この例においてはかなり大きなＭＳＥが得られる。
【００３５】
しかしながら、平均値を取る代わりに、Ａに１のみを加える場合、ＡおよびＢの新しい４つの下位値は同じである。
Ａ’ ＝ ３２ ＝ ％ ００１０ ００００      ＭＳＥ ＝ ０．５
Ｂ’ ＝ ３２ ＝ ％ ００１０ ００００
【００３６】
これにより、４個の下位サブフィールドに対してラインダブル化を適用でき、古い値と新しい値の差は１のみであるため、誤差は、最初のラインについて１、２番目のラインについて０となる。ＭＳＥは最小になる。この結果を達成するため、下位サブフィールドのみならず、上位サブフィールドもＡとＡ’の間で変更されるようにすることができる。
【００３７】
４個の下位バイナリサブフィールドがラインダブル化によってアドレス指定され、かつ誤差が８よりも高い場合には、上位サブフィールドの値を変えることによって、誤差を８未満の値に低減することができる。
【００３８】
上位サブフィールドの値は、以下の方法により変えることができる。式において、「Ａ」は、表示されるライン対の第一ラインの元のデータであり、「ａ」は当該第一ラインの下位サブフィールドの重み、「Ｂ」は当該ライン対の他方のラインの元のデータであり、「ｂ」は、当該ラインの下位サブフィールドの重みである。Ａ’は、当該第一ラインの新しいデータであり、Ｂ’は他方のラインの新しいデータであり、ｒは実数、ｎはダブル化される下位サブフィールドの数である。
Δ ＝ ａ − ｂ
ｉｆ （Δ＞０）             Δ’ ＝ ２ｎ −Δ
ｅｌｓｅ                  Δ’ ＝ −２ｎ −Δ
ｉｆ （ａｂｓ（Δ） ＞ ２（ｎ−１））
｛         Ａ’ ＝ Ａ ＋ ｉｎｔ（Δ’＊ｒ）
Ｂ’ ＝ Ｂ −Δ’＋ｉｎｔ（Δ’＊ｒ）｝
ｅｌｓｅ
｛         Ａ’ ＝ Ａ − （Δ＊ｒ）
Ｂ’ ＝ Ｂ ＋ Δ − ｉｎｔ（Δ＊ｒ） ｝
【００３９】
上式において、「ｉｎｔ（）」は、かっこ内の式の整数部を取ることを意味する。「ａｂｓ（）」は、かっこ内の式の絶対値を求めることを意味する。パラメータｒには、値１／２を与えることができる。この場合、平均二乗誤差が最小になる。また、他の値（例えば、Ａ／（Ａ＋Ｂ））を与えることにより、誤差の最大の部分をＡとＢの大きい方に拡散させ、相対誤差を均等に拡散させることもできる。
【００４０】
この方法によって得られる新しい値Ａ’とＢ’は、同じ下位サブフィールドを有する。
【００４１】
この計算方法は、良好な結果を与える。しかしながら、ＡとＢの元の値が０または２５５（８個のバイナリサブフィールドを使用するときの最小値と最大値）にほとんど等しい場合には、範囲超過の問題が発生しうる。
例えば、
Ａ ＝ ２５４ ＝  １１１１ １１１０
Ｂ ＝  ６６ ＝  ０１００ ００１０
の場合、上記の最小化方法では、
Ａ’ ＝  ２５６ ＝ １ ００００ ００００
Ｂ’ ＝  ６４ ＝    ０１００ ００００
となる。しかしながら、８個のサブフィールドシステムにおいては、Ａ’はゼロにオーバーフローする。
【００４２】
新しい値は、完全に誤りである（範囲超過）。この場合、下位サブフィールドの平均値を取ることによって、これより良好な値を得ることができる。
Ａ’ ＝ ２４８ ＝  １１１１ １０００
Ｂ’ ＝  ７２ ＝  ０１００ １０００
【００４３】
従って、得られた新しい値Ａ’またはＢ’が、許容値の限界、すなわち８個のサブフィールドの場合には０，．．２５５の外側である場合には、得られた値の代わりに平均をとる次のステップがこの方法に追加される。
【００４４】
ｉｆ （      Ａ’＜０ ｏｒ
Ｂ’＜０ ｏｒ
Ａ’＞２５５ ｏｒ
Ｂ’＞２５５    ）
｛         Ａ’ ＝ Ａ − ｉｎｔ（Δ＊ｒ）
Ｂ’ ＝ Ｂ ＋ Δ − ｉｎｔ（Δ＊ｒ）
【００４５】
図１０は、非バイナリサブフィールドにも適用できる数値の例を線図的に示す。重み１２、１２、８、８（上位サブフィールド）と４、４、２、１（下位サブフィールド）を有する８個のサブフィールドが使用される。以下において、「Ａ」は、表示されるライン対の第一ラインの元のデータの上位サブフィールドの重みであり、「ａ」は当該第一ラインの下位サブフィールドの重みであり、「Ｂ」は表示されるライン対の他方のラインの元のデータの上位サブフィールドの重みであり、「ｂ」は、当該ラインの下位サブフィールドの重みである。
この方法は、
（ａ） すべての下位サブフィールドの重みの加算（この場合は４＋４＋２＋１ ＝ １１）としてｌｓｂ＿ｍａｘを計算するステップと、
（ｂ） 上位サブフィールドの可能な組み合わせすべての重みのテーブル（「ＭＳＢテーブル」）を構築するステップと、
を有する。
これらのステップは、１回実行される。
【００４６】
各ライン対の各ドットに対して、次のステップが実行される。
（ｃ） 表示されるライン対の第一ラインのデータＡ＋ａと、ＭＳＢテーブルの各要素との差の第一対応テーブル（「第一組の差」）を構築するステップと、
（ｄ） 当該ライン対の他方のラインのデータＢ＋ｂと、ＭＳＢテーブルの各要素との差の第二対応テーブル（「第二組の差」）を構築するステップと、
（ｅ） 前記第一組の差から取られた第一値と、第二組の差から取られた第二値とによる値の対すべてのうち、各値の差の絶対値が当該対すべてのうち最小である値の対（「最小対」）（この場合に最小の差は１であり、値３と４（第一最小対）または値１１と１２（第二最小対）を取ることによって得ることができる）を求めるステップと、
（ｆ） 当該最小対すべてについて、ｃを、
− 求められた差の値の対のうち小さい方と、各差の差の絶対値にｒを乗じた値
（ｒ＊ＡＢＳ（（Ａ＋ａ−Ａ’）−（Ｂ＋ｂ−Ｂ’）））（ｒは実数）
との合計の整数部を求め、当該整数部が正でありかつｌｓｂ＿ｍａｘの２倍より小さい場合には、この整数部
− 当該整数部が負である場合は０、
− 当該整数部がｌｓｂ＿ｍａｘの２倍より大きい場合はｌｓｂ＿ｍａｘ、
として求めるステップと、
（ｇ） 当該最小対すべてについて、Ａ＋ａ−Ａ’−ｃ＋Ｂ＋ｂ−Ｂ’−ｃの絶対値として前記誤差を求めるステップと、
（ｈ） 最小対すべてのうち、前記誤差が最小である対（「選択された最小対」）を選択するステップと、（本例においては最小対はどちらも結果が同じであり、いずれを選択してもよい）
（ｉ） 表示される当該第一ラインの前記新しいデータの前記上位サブフィールドの重みを、前記選択された最小対の前記第一要素に対応する前記ＭＳＢテーブルの前記要素として求めるステップと（本例においては前記第一最小対については３２、前記第二最小対については２４）、
（ｊ） 表示される当該他方のラインの前記新しいデータの前記上位サブフィールドの重みを、前記選択された最小対の前記第二要素に対応する前記ＭＳＢテーブルの前記要素として求めるステップと（本例においては前記第一最小対については８、前記第二最小対については０）、
（ｋ） 表示される当該第一ラインと当該他方のライン両方の前記新しいデータの前記下位サブフィールドの重みを、前記選択された最小対の前記値ｃとして求めるステップ（本例においてはｒを１／２とし、ｃは前記第一最小対の場合は３、前記第二最小対の場合は１１）。
【００４７】
ステップｃの前に、値ｅｒｒｏｒ＿ｍａｘを計算し、求め、または設定することが望ましい。ｅｒｒｏｒ＿ｍａｘは、最低の上位サブフィールドの重みの半分である（この場合ｅｒｒｏｒ＿ｍａｘは４に等しい）。第一対応テーブルにおいて、マイナスｅｒｒｏｒ＿ｍａｘとｌｓｂ＿ｍａｘ＋ｅｒｒｏｒ＿ｍａｘの間（この場合には−４と１５の間）にある値が、縮小された第一組の差として選択され（図においてはこれらの値のみ、すなわちこの例では３、７、１１が示されている）、第二対応テーブルにおいて、マイナスｅｒｒｏｒ＿ｍａｘとｌｓｂ＿ｍａｘ＋ｅｒｒｏｒ＿ｍａｘの間の値が、縮小された第二組の差として選択され（この場合も図においてはこれらの値のみ、すなわち、この例では−４、０、４、１２しか示されていない）、ステップｅにおいて、縮小された第一組の差から取られた第一値と、縮小された第二組の差から取られた第二値とによる値の対が求められ、各値の差の絶対値がすべての当該対（「最小対」）のうち最小となる（この場合、最小値は、１であり、かつ値３と４を取る（第一ソリューション）または１１と１２を取る（第二ソリューション）ことによって得ることができる）。この望ましい実施例においては、考慮する対の数が大幅に低減されるので、この方法の速度が向上する。
【００４８】
図１０に示されているように、ＭＳＢテーブルが最初にソートされ、重複値が排除されているならば、ステップ（ｄ）と（ｅ）はより容易に実行することができる。
【００４９】
第一ソリューションでは、上側ラインについては３２ ＋ ３ ＝ ３５、下側ラインについては８ ＋ ３ ＝ １１が得られる。第二ソリューションでは、上側ラインについては２４ ＋ １１ ＝ ３５、下側ラインについては０ ＋ １１ ＝ １１が得られる。誤差は、両方のソリューションで等しい。第一ソリューションは、図２において太字で表示されている。上述されているように、パラメータｒは、２本のラインの間に異なって拡散するように選択することができる。
【００５０】
非バイナリサブフィールドを使用する場合、輝度値とサブフィールドの組合せの関係は、バイナリサブフィールドの場合のように１対１ではない。上記の方式においては、値２０は、例えば、１２ ＋ ８または８ ＋ ８ ＋ ４によって得ることができ、これらは上位および下位フィールドの異なる組み合わせである。この方法により、上位フィールドの組合せによって得られる上位フィールドの値が得られる。この方法により、誤差が低減し、誤差が第一ラインとその次のラインとに均等に拡散し、表示される新しい値が得られる。
【００５１】
上記の方法は、２本のラインに適用される。以下のようにすることにより、３本以上のラインの組にも一般化できる。ステップ（ｄ）と（ｅ）は、ラインの組の各ラインについて実行される。ステップ（ｈ）においては、さまざまな組の全組合せのうち、最も小さい差を与える値の組が検索される。ステップ（ｉ）も、ラインの組の各ラインについて実行される。
【００５２】
図１１に示されているように、さらなる方法においては、ライン対の一方のラインの輝度データは、表示されるデータとしてそのまま使用される（ｄａｔａ＿ｕｐ＿ｎｅｗ＝ｄａｔａ＿ｄｅｓｉｒｅｄ＿ｕｐ）。
【００５３】
下位サブフィールドの重みが取り出される（最下位ビット部分）。
【００５４】
ライン対の第二ラインの新しい輝度値データの上位サブフィールドの重みは、このラインの元のデータから最下位ビットを減じ、得られた値を最上位サブフィールド値の最も近い組合せに丸めることによって、計算される。
【００５５】
ライン対の第二ラインの新しい輝度値データに対しては、上位サブフィールドの重みの計算値と、下位サブフィールドの最下位ビットが使用される。図１２に示されているこの方法の数値例においては、第一ラインの元の値は３（バイナリでは、００００ ００１１）と、第二ラインの元の値は１４１（バイナリでは、１０００ １１０１）である。最初の値は単にコピーされる。次いで、下位サブフィールド（バイナリでは、００１１）が取り出される。第二ラインの上位サブフィールドの新しい値は、第二ラインの元の値から最下位ビットを減じることによって得られる。丸めは、低い上位フィールドの値の半分を加算し（この場合は８）、その上位サブフィールドを採ることによって行うことができる。
【００５６】
図１２に示されている数値例は、バイナリサブフィールドに関連するが、この方法は非バイナリサブフィールドにも適用される。
【００５７】
この方法は、最下位サブフィールドが小さい方のラインを第一ラインとして取ることによって改良できる。
【００５８】
これらの方法のすべては、表示される元の輝度値を入力とし、新しい輝度値を出力として、プログラミング言語により容易に実施ことができる。これに代えて、参照用テーブルメカニズムも使用できる。テーブル（「参照用テーブル」）は、元の輝度値の値の各対のエントリを有し、対応する事前計算された新しい値の対を含む。この方法の欠点は、参照用テーブルが非常に大きくなる（８ビットバイナリサブフィールドの場合に２５６ Ｘ ２５６要素）可能性があることである。請求項１３に定義される方法の場合には、図１３に示されているように、第二ラインの値の各組み合わせと最下位ビット部分の値の各組み合わせのエントリ（すなわち８ビットバイナリサブフィールドの場合に２５６ Ｘ １６要素）を有する、より小さい参照用テーブルを使用することができる。これにより、参照用テーブルのサイズはかなり低減される。この方法は、非バイナリサブフィールドにも適用できる。
【００５９】
図１４においては、参照用テーブルのサイズは、さらに低減する。この場合、第二ラインの輝度値と、最下位ビット部分に対応する輝度値との差が計算される。この差は、新しい上位フィールドを与えるために参照用テーブルにおいて入力として使用される。
【００６０】
上記の説明は、本出願人の他の継続特許出願の実質的な一部でもある。上記の内容は、本発明の以下の望ましい実施例に組み込むことができる。
【００６１】
マトリクスディスプレイのサブフィールドの数が限定されているため、このようなマトリクスディスプレイによって表示できるグレーレベルの数も制限される。人間の視覚システムは、隣接するピクセルから来る光を１つの輝度レベルに統合する。ディザリングでは、特定のグレーレベルとして知覚される高い空間周波数を表示することによって、この特性を使用する。このようにして、知覚されるグレーレベルの数を増加させることができる。
【００６２】
本発明の望ましい実施例においては、Ｆｌｏｙｄ−Ｓｔｅｉｎｂｅｒｇ誤差拡散が使用される（例えば、Ｒ．Ｗ．Ｆｌｏｙｄ、Ｌ．Ｓｔｅｉｎｂｅｒｇ氏らの「空間的グレースケール用の適合アルゴリズム（Ａｎ ａｄａｐｔｉｖｅ ａｌｇｏｒｉｔｈｍ ｆｏｒ ｓｐａｔｉａｌ ｇｒａｙｓｃａｌｅ）」、Ｐｒｏｃｅｅｄｉｎｇｓ ｏｆ ＳＩＤ、Ｖｏｌ １７／２、ｐ．７５、１９７６年を参照）。この誤差拡散アルゴリズムは、図１５に線図的に示されている。元の画像データは、例えば、プラズマディスプレイパネル（ＰＤＰ）に表示できる以上のグレーレベルから成るため、各ピクセルＰについて誤差が発生する。この誤差は、周囲のピクセルに分散される。すなわち、誤差の７／１６がピクセルＡに、誤差の１／１６がピクセルＢに、誤差の５／１６がピクセルＣに、誤差の３／１６がピクセルＤに分散される。人間の視覚システムの上記の統合／効果のため、結果としての輝度は、意図された輝度に近くなる。
【００６３】
本発明は、部分的ラインダブル化（ＰＬＤ）とディザリングを結合することを可能にする。ディザリングの品質は、主として、重みが最低のサブフィールドに依存する。人間の視覚システムの非線形的な認知に起因して、暗い領域は、ディザリング品質にとって重要である。人間の目は、高い輝度値よりも低い輝度値における輝度の変化に敏感である。しかしながら、ディザリング後にＰＬＤが実行される場合、誤差拡散のみの画像と比較して画質が低下することが、経験から示されている。ＰＬＤに起因する解像度の制限は、２個の隣接する最下位サブフィールドが常に同時にオンになるため、人間の目の場合には暗い領域において特に明らかである。
【００６４】
誤差拡散とＰＬＤを統合すると、ディザリングは、２／１ピクセルベース （ｔｗｏ ｂｙ ｏｎｅ ｐｉｘｅｌ ｂａｓｉｓ） に行われる。このことは、２個のピクセル上の誤差が隣接するピクセルに分散されることを意味する。これによって、画質が向上する。しかしながら、ＰＬＤに起因する解像度の制限は依然として残る。
【００６５】
図１６には、本発明による部分的ラインダブル化とディザリングの組合せが示されている。図１６Ａは、値が最低である２個のサブフィールドの部分的ラインダブル化を示す。図１６Ｂによると、最下位サブフィールドは、望ましくは、次のサブフィールドを部分的ラインダブル化によってダブル化する間に、解像度を使用する、ディザリングに使用される。
【００６６】
これにより、各ラインについて最下位サブフィールドを個別にオンにできるため、誤差拡散の品質が向上し、解像度が高まる。
【００６７】
部分的ラインダブル化を実行するときに、各ラインについて個別にアドレス指定される最下位サブフィールドを計算に組み入れる必要がある。
【００６８】
また、部分的ラインダブル化を実行するときに訂正を行うことも望ましい。図１７は、データのいくつかの例を示す。ダブル化されているサブフィールドは、太字で示されている。第一列は元のデータを示し、第二列は部分的ラインダブル化後のデータを示す。第三列は、下位サブフィールドに関して１ビット位置のみシフトされた部分的ラインダブル化を示す。第四列は、誤差を最小にする訂正が行われたデータを示す。
【００６９】
原理的には、訂正は単純でよく、ダブル化されない最低の重みを有するサブフィールド（この例においては最下位サブフィールドのみ）は、ＬＳＰ（Ｌｅａｓｔ Ｓｉｇｎｉｆｉｃａｎｔ Ｐａｒｔ）と呼ばれる。部分的ラインダブル化アルゴリズムに関与するサブフィールド（この例においては７個の上位サブフィールド）は、ＭＳＰ部分と呼ばれる。部分的ラインダブル化の後にＭＳＰ部分がより高い値を有する場合は、ＬＳＰを０に設定する必要があり、部分的ラインダブル化の後にＭＳＰ部分の値がより低い場合は、ＬＳＰを１に設定する必要がある。
【００７０】
上述した部分的ラインダブル化のアルゴリズムによると、サブフィールドの数の半分以上を、顕著な画像の劣化なしにダブル化することができる。従って、２ビット以上がディザリングに予約され、上述した訂正を含むことが望ましい。
【００７１】
最も望ましい実施例は、２個の最下位サブフィールドがディザリングに予約され、そしてその結果中央の２個のサブフィールドに対して部分的ラインダブル化が行われる場合であることが、実験によって判明した。
【００７２】
図１８は、本発明による方法のためのアルゴリズムの望ましい実施例を示す。
【００７３】
奇数ラインｅ’１からのデータを、最初にディザリングｄ１し、次いで１ライン間隔のみ遅延させ、同様にディザリングｄ２された偶数ラインデータｅ’２と結合させ、その結果１つまたは２つの下位サブフィールドをディザリングに確保した状態で、訂正（ＰＬＤ／Ｃｏｒ）を含む部分的ラインダブル化を実行することができる。その後、偶数ラインのデータも、時間間隔Ｔのみ遅延され、マトリクスディスプレイパネル（望ましい本実施例においてはプラズマディスプレイパネル）にデータｅ’１とｅ２が共に供給される。
【００７４】
非バイナリサブフィールド値に適用できる別の方法が、図１９に示されている。ダブルラインアドレス指定されるサブフィールドの値を計算するために、ライン対の両方のラインの輝度データが使用される。これは、ダブルラインアドレス指定されるサブフィールドの平均値を取ることによって行うことができる。もう１つのオプションは、最低の輝度データ値を有するラインの、ダブルラインアドレス指定されるサブフィールドの値を選択することである。もう１つのオプションは、サブフィールドの値が最低であるラインの、ダブルラインアドレス指定されるサブフィールドの値を選択することである。単一ラインアドレス指定されるサブフィールドの値は、ダブルラインアドレス指定されるサブフィールド（グレー参照用テーブル）によって両方のライン上にすでに表示されている輝度を計算してから、両方のラインの元の意図された輝度からその値を減じることによって求めることができる。この結果は、単一ラインアドレス指定されるサブフィールドの最も近い組合せを与えるＬＵＴ（参照用テーブル）のエントリとして使用される。両方のラインの最終的なサブフィールドデータは、ダブルラインアドレス指定されるサブフィールドの値を、両方のラインの単一ラインアドレス指定されるサブフィールドの値と結合することによって求めることができる。
【００７５】
本発明は、その権利範囲が、その範囲内において補正されることもあり得る添付の請求項によって規定される、望ましい実施例の上述した説明に限定されない。
【図面の簡単な説明】
【図１】先行技術の方法（単一ラインアドレス指定）を線図的に示す。
【図２】サブフィールドの配置と、３個の最下位サブフィールドのダブルラインアドレス指定によって得られる時間利得を示す。
【図３】ダブルラインアドレス指定が使用される方法を線図的に示す。
【図４】ダブルライン、ダブルフレームアドレス指定が使用される方法を線図的に示す。
【図５】さまざまな多重ライン、多重フレームアドレス指定が使用される方法を線図的に示す。
【図６】さまざまな組合せにおける方法を線図的に示す。
【図７】ダブル面アドレス指定が使用される、本発明による方法を線図的に示す。
【図８】本発明の実施例によるディスプレイ装置のブロック線図を示す。
【図９】マトリクスディスプレイデバイスを線図的に示す。
【図１０】数値の例とともに本発明の実施例を線図的に示す。
【図１１】バイナリサブフィールドに適用可能な本発明の簡略化された実施例を線図的に示す。数値の例は図１２に示されている。
【図１２】バイナリサブフィールドに適用可能な本発明の簡略化された実施例の数値の例を示す。
【図１３】非バイナリサブフィールドに適用される、簡略化された実施例を線図的に示す。
【図１４】非バイナリサブフィールドに適用される、簡略化された実施例を線図的に示す。
【図１５】Ｆｌｏｙｄ−Ｓｔｅｉｎｂｅｒｇ誤差拡散を構築するための図を示す。
【図１６】本発明を説明するためのサブフィールドダブル化方式を示す。
【図１７】本発明による方法の望ましい実施例の数値例を示す。
【図１８】本発明の望ましい方法の実施の例を示す。
【図１９】本発明の望ましい方法のさらなる実施の例を示す。
【符号の説明】
ＤＤ  サブフィールド駆動マトリクスディスプレイデバイス
ＡＣ  アドレス指定回路
ＲＣ  行導体
ＤＣ  データ供給回路
ＩＤ  画像データ
ＣＤ  データを列導体
ＣＣ  制御回路
Ｄ  情報信号
１  ディスプレイデバイス
２  回路
３  計算ユニット
４  ドライバ回路
５  マトリクスディスプレイパネル
【図１】
2004518176.tif 000004
【図２】
2004518176.tif 000005
【図３】
2004518176.tif 000006
【図４】
2004518176.tif 000007
【図５】
2004518176.tif 000008
【図６】
2004518176.tif 000009
【図７】
2004518176.tif 000010
【図８】
2004518176.tif 000011
【図９】
2004518176.tif 000012
【図１０】
2004518176.tif 000013
【図１１】
2004518176.tif 000014
【図１２】
2004518176.tif 000015
【図１３】
2004518176.tif 000016
【図１４】
2004518176.tif 000017
【図１５】
2004518176.tif 000018
【図１６】
2004518176.tif 000019
【図１７】
2004518176.tif 000020
【図１８】
2004518176.tif 000021
【図１９】
2004518176.tif 000022
【国際公開パンフレット】
2004518176.tif 000023
2004518176.tif 000024
2004518176.tif 000025
2004518176.tif 000026
2004518176.tif 000027
2004518176.tif 000028
2004518176.tif 000029
2004518176.tif 000030
2004518176.tif 000031
2004518176.tif 000032
2004518176.tif 000033
2004518176.tif 000034
2004518176.tif 000035
2004518176.tif 000036
2004518176.tif 000037
2004518176.tif 000038
2004518176.tif 000039
2004518176.tif 000040
2004518176.tif 000041
2004518176.tif 000042
2004518176.tif 000043
2004518176.tif 000044
2004518176.tif 000045
2004518176.tif 000046
2004518176.tif 000047
2004518176.tif 000048
2004518176.tif 000049
2004518176.tif 000050
2004518176.tif 000051
2004518176.tif 000052
2004518176.tif 000053
2004518176.tif 000054
2004518176.tif 000055
2004518176.tif 000056
【国際公開パンフレット（コレクトバージョン）】
2004518176.tif 000057
【国際公開パンフレット（コレクトバージョン）】
2004518176.tif 000058
【国際公開パンフレット（コレクトバージョン）】
2004518176.tif 000059
2004518176.tif 000060
2004518176.tif 000061
2004518176.tif 000062
2004518176.tif 000063
2004518176.tif 000064
2004518176.tif 000065
2004518176.tif 000066
2004518176.tif 000067
2004518176.tif 000068
2004518176.tif 000069
2004518176.tif 000070
2004518176.tif 000071
2004518176.tif 000072
2004518176.tif 000073
2004518176.tif 000074
2004518176.tif 000075
2004518176.tif 000076
2004518176.tif 000077
2004518176.tif 000078
2004518176.tif 000079
2004518176.tif 000080
2004518176.tif 000081
2004518176.tif 000082
2004518176.tif 000083
2004518176.tif 000084
2004518176.tif 000085
2004518176.tif 000086
2004518176.tif 000087
2004518176.tif 000088
2004518176.tif 000089
2004518176.tif 000090
2004518176.tif 000091
2004518176.tif 000092
【国際調査報告】
2004518176.tif 000093
2004518176.tif 000094
2004518176.tif 000095
2004518176.tif 000096